(57)【特許請求の範囲】
【請求項１】
釣竿を構成する竿体を収納するための竿体ケースであって、
前記竿体を載置可能な載置部を有するケース本体と、
前記載置部に配置され、複数のひだを有しており前記ひだの間に前記竿体を収納可能なアコーデオンプリーツとを備え、
前記アコーデオンプリーツは前記載置部の任意の位置に固定可能である
ことを特徴とする竿体ケース。
【請求項２】
釣竿を構成する竿体を収納するための竿体ケースであって、
前記竿体を載置可能な載置部を有するケース本体と、
前記載置部に配置され、複数のひだを有しており前記ひだの間に前記竿体を収納可能なアコーデオンプリーツとを備え、
前記ケース本体は長さ方向に並んで配置された複数の被着部を有し、
前記アコーデオンプリーツは前記複数の被着部のいずれか任意のものに固定可能である
ことを特徴とする竿体ケース。
【請求項３】
前記アコーデオンプリーツを締結可能な紐部材をさらに備えた、請求項１又は２に記載の竿体ケース。
【請求項４】
前記アコーデオンプリーツは前記ケース本体の内面上に形成されており、
前記ケース本体は、前記アコーデオンプリーツを内包するように幅方向に二つ折り可能であり、前記ケース本体を二つ折りした状態において前記ケース本体の縁部を開閉自在に接合可能な接合手段をさらに備えた、請求項１〜３のいずれか１項に記載の竿体ケース。
【発明の詳細な説明】
【０００１】
【発明の属する技術分野】
本発明は、運搬時に竿体を収納する竿体ケースに関する。
【０００２】
【従来の技術】
従来の竿体ケースは、竿体を収納可能な縦長箱形の本体部と、本体部の長さ方向ほぼ中央部に配置された把持部と、本体部の長さ方向の前後２カ所で固定される肩掛け部とを有している。本体部はその内部に竿体を収納可能に形成されており、また、肩掛け部はユーザが竿体ケースを肩に掛けて保持できるように帯状に形成されている。この従来の竿体ケースでは、例えば、複数の竿体を並継形式に連結して用いる並継竿を収納する場合は、釣竿を各竿体に分割して各竿体を本体部に収納して持ち運ぶ。
【０００３】
【発明が解決しようとする課題】
しかし、このような従来の竿体ケースにおいて、複数の竿体をまとめて１つの本体部に収納すると、竿体同士が接触して互いに傷つけあう恐れがある。特に、リールを竿体に取り付けたまま竿体を収納する場合は、１の竿体のリールが他の竿体を傷つけ、また、リール自体も損傷する恐れがある。
【０００４】
本発明の課題は、複数の竿体を互いに損傷しあうことなく収納可能であり、１本の竿体を収納する際にはその竿体ががたつくことなく収納可能な竿体ケースを提供することにある。
【０００７】
【課題を解決するための手段】
発明１にかかる竿体ケースは、釣竿を構成する竿体を収納するための竿体ケースであって、竿体を載置可能な載置部を有するケース本体と、載置部に配置され複数のひだを有しておりひだの間に竿体を収納可能なアコーデオンプリーツとを備えている。
また、アコーデオンプリーツは載置部の任意の位置に固定可能である。
複数の竿体を竿体ケースに収納する場合には、アコーデオンプリーツの複数のひだにそれぞれ竿体を収納しながら、載置部に竿体を載置する。このアコーデオンプリーツが竿体同士の接触を抑えて、複数の竿体を収納しても互いに竿体同士が傷付け合うのを防止する。
【０００８】
また、収納する竿体の長さ，形状に合わせて、アコーデオンプリーツを載置部の任意の位置に取り付ける。そして、取り付けたアコーデオンプリーツに竿体を収納する。竿体には様々な長さを有するものがあるが、その様々な竿体に合わせて竿体を竿体ケース内に収納可能である。例えば、リールを取り付けたままで竿体を竿体ケース内に収納する場合には、リールが取り付けられた部分にアコーデオンプリーツが位置するようにアコーデオンプリーツを載置部上に取り付ければよい。
【０００９】
発明２にかかる竿体ケースは、釣竿を構成する竿体を収納するための竿体ケースであって、竿体を載置可能な載置部を有するケース本体と、載置部に配置され複数のひだを有しておりひだの間に竿体を収納可能なアコーデオンプリーツとを備えている。
また、ケース本体は長さ方向に並んで配置された複数の被着部を有し、アコーデオンプリーツは複数の被着部のいずれか任意のものに固定可能である。
複数の竿体を竿体ケースに収納する場合には、アコーデオンプリーツの複数のひだにそれぞれ竿体を収納しながら、載置部に竿体を載置する。このアコーデオンプリーツが竿体同士の接触を抑えて、複数の竿体を収納しても互いに竿体同士が傷付け合うのを防止する。
また、収納する竿体の長さ，形状に合わせて、アコーデオンプリーツを任意の被着部に取り付ける。そして、取り付けたアコーデオンプリーツに竿体を収納する。
発明３にかかる竿体ケースは、発明１又は２に記載の竿体ケースであって、アコーデオンプリーツを締結可能な紐部材をさらに備えている。
この場合には、アコーデオンプリーツの複数のひだにそれぞれ竿体を収納しながら、紐部材でアコーデオンプリーツを締結する。ここでは、アコーデオンプリーツが竿体同士の接触を抑えると共に紐部材が竿体を固定し、安定した状態で竿体を収納固定できる。
【００１０】
発明４にかかる竿体ケースは、発明１〜３のいずれか１の竿体ケースであって、アコーデオンプリーツはケース本体の内面上に形成されており、ケース本体は、アコーデオンプリーツを内包するように幅方向に二つ折り可能であり、ケース本体を二つ折りした状態においてケース本体の縁部を開閉自在に接合可能な接合手段をさらに備えている。
【００１１】
この場合には、ケース本体を二つ折りにして竿体が載置されている載置部を内包した状態でケース本体の縁部を接合して運搬する。このため、運搬時の取り扱いが容易になるとともに竿体を十分に保護できる。
【００１２】
【発明の実施の形態】
［第１実施形態］
以下、本発明の第１実施形態について、図面を参照しつつ説明する。
図１に示すように、本発明の第１実施形態を採用した竿体ケースは、ケース本体１と、ケース本体１に設けられた一対のフック２と、フック２に取り外し可能に連結されたショルダーベルト３とを有している。
【００１３】
ケース本体１は、図２及び図３に示すように、二つ折り可能な長方形部材であって、外面側のナイロン樹脂層５と内面側のポリウレタン樹脂層４との２層構造である。そして、外面側のナイロン樹脂５の表面には商品イメージに合わせて様々な模様が塗装されている。また、ケース本体１は、内面上に形成され竿体を載置可能な載置部１０と、載置部１０上に脱着自在に固定されたアコーデオンプリーツ１１とを有している。
【００１４】
載置部１０はケース本体１内面の竿体を載置する部分であり、ケース本体１を二つ折りした際の一方の内面側表面には面ファスナＦがほぼ全面にわたって貼り付けられている。このケース本体１の内面側の縁部は垂直方向にやや突出して形成されており、この突出した端部にはファスナ（接合手段）１２が配置されている。そして、このケース本体１を二つ折りして、ファスナー１２を順次固定すると、図１に示すように、ケース本体１は内部の載置部１０に竿体を収納可能な中空の部材となる。
【００１５】
図２〜４に示すように、アコーデオンプリーツ１１は、ナイロン等の合成繊維またはポリウレタン等の弾性合成樹脂からなる屈曲自在な部材であって、幅方向において波形に屈曲して複数のひだを有する略矩形状部材である。このひだはひだ内に竿体を十分に収納可能な深さを有しており、例えば、２０〜５０ｍｍ程度の深さを有している。アコーデオンプリーツ１１の幅方向中央付近には、載置部１０の面ファスナＦに貼付自在な貼付部１１ａが設けられており、また、貼付部１１ａ付近から幅方向両側に向かってそれぞれ紐部材１１ｂが連結されている。
【００１６】
このように構成された竿体ケースでは、図４に示すように、ケース本体１を開いた内面側の載置部１０に、例えば、竿体Ａ，Bを載置して収納する。具体的には、竿体Ａ，Ｂの長さや形状に合わせて、貼付部１１ａを載置部１０の任意の位置に貼り付けることで、アコーデオンプリーツ１１を載置部１０上に固定する。ここで、アコーデオンプリーツ１１は１つに限定されず、２つ以上の複数のアコーデオンプリーツ１１を所定の間隔を長さ方向に隔てながら載置部１０上に固定してもよい。そして、アコーデオンプリーツ１１のひだ毎に竿体Ａ，Ｂをそれぞれ収納する。その後、紐部材１１ｂを互いに結び付けてアコーデオンプリーツ１１内の竿体Ａ，Ｂを十分に固定する。そして、ケース本体１を二つ折りして、ファスナー１２を順次固定する。
【００１７】
以上のように、本発明の第１実施形態を採用した竿体ケースでは、アコーデオンプリーツ１１が収納時において竿体同士の接触を抑えるので、複数の竿体を収納しても互いに竿体同士が傷付け合うのを防止できる。また、アコーデオンプリーツ１１は載置部１０の任意の箇所に固定可能であり、様々な竿体を十分に保護しながら収納できる。
【００１８】
［第２実施形態］
以下、本発明の第２実施形態について、図面を参照しつつ説明する。
図５及び図６に示すように、本発明の第２実施形態を採用した竿体ケースのケース本体２１は、二つ折り可能な長方形部材であって、外面側のナイロン樹脂層２５と内面側のポリウレタン樹脂層２４との２層構造である。また、ケース本体２１は、内面上に形成され竿体を載置可能な載置部３０と、ケース本体１を二つ折りした際の一方の内面側にある載置部３０に長さ方向に配置されたレール部３３と、レール部３３上を滑動自在な２つのアコーデオンプリーツ３１とを有している。載置部３０はケース本体２１内面の竿体を載置する部分であり、内面側の縁部は垂直方向にやや突出して形成されており、この突出した端部にはファスナ（接合手段）３２が配置されている。そして、このケース本体２１を二つ折りして、ファスナー３２を順次固定すると、第１実施形態と同様に、ケース本体２１は内部の載置部３０に竿体を収納可能な中空の部材となる。
【００１９】
アコーデオンプリーツ３１は、第１実施形態と同様に、ナイロン等の合成繊維またはポリウレタン等の弾性合成樹脂からなる屈曲自在な部材であって、幅方向において波形に屈曲して複数のひだを有する略矩形状部材である。アコーデオンプリーツ３１の幅方向中央付近には、レール部３３上を滑動可能なスライダー３１ａが連結されており、また、スライダー３１ａ付近から幅方向両側に向かってそれぞれ紐部材３１ｂが連結されている。
【００２０】
なお、その他の構成は第１実施形態と同様であり、説明を省略する。
このように構成された竿体ケースでは、ケース本体２１を開いた内面側の載置部３０に、例えば、竿体Ａ，Bを載置して収納する。具体的には、竿体Ａ，Ｂの長さや形状に合わせてアコーデオンプリーツ３１をレール部３３上で移動させて所定の位置に配置する。アコーデオンプリーツ３１の位置は収納する竿体の長さ，形状等に依存するが、２つのアコーデオンプリーツ３１を長さ方向に所定の間隔を隔てながら載置部３１上に配置することになる。そして、アコーデオンプリーツ３１のひだ毎に竿体Ａ，Ｂをそれぞれ収納する。その後、紐部材３１ｂを互いに結び付けてアコーデオンプリーツ３１内の竿体Ａ，Ｂを十分に固定する。そして、ケース本体２１を二つ折りして、ファスナー３２を順次固定する。
【００２１】
［第３実施形態］
以下、本発明の第３実施形態について、図面を参照しつつ説明する。
図７に示すように、本発明の第３実施形態を採用した竿体ケースのケース本体４１は、二つ折り可能な長方形部材であって、外面側のナイロン樹脂層４５と内面側のポリウレタン樹脂層４４との２層構造である。また、ケース本体４１は、内面上に形成され竿体を載置可能な載置部５０と、ケース本体１を二つ折りした際の一方の内面側にある載置部５０に長さ方向に所定の間隔を隔てながら配置された複数の雌釦部５３と、雌釦部５３に脱着自在に固定可能なアコーデオンプリーツ５１とを有している。
【００２２】
載置部５０はケース本体４１内面の竿体を載置する部分であり、内面側の縁部は垂直方向にやや突出して形成されており、この突出した端部にはファスナ（接合手段）５２が配置されている。そして、このケース本体４１を二つ折りして、ファスナー５２を順次固定すると、第１実施形態と同様に、ケース本体４１は内部の載置部５０に竿体を収納可能な中空の部材となる。
【００２３】
アコーデオンプリーツ５１は、第１実施形態と同様に、ナイロン等の合成繊維またはポリウレタン等の弾性合成樹脂からなる屈曲自在な部材であって、幅方向において波形に屈曲して複数のひだを有する略矩形状部材である。アコーデオンプリーツ５１の幅方向中央付近には、雌釦部５３に嵌着自在な雄釦部５１ａが連結されており、また、雄釦部５１ａ付近から幅方向両側に向かってそれぞれ紐部材５１ｂが連結されている。
【００２４】
なお、その他の構成は第１実施形態と同様であり、説明を省略する。
このように構成された竿体ケースでは、ケース本体４１を開いた内面側の載置部５０に、例えば、竿体を載置して収納する。具体的には、竿体の長さや形状に合わせて、雄釦部５１ａを任意の雌釦部５３に嵌着させてアコーデオンプリーツ５１を所定の位置に配置する。その後、紐部材５１ｂを互いに結び付けてアコーデオンプリーツ５１内の竿体を十分に固定する。そして、ケース本体４１を二つ折りして、ファスナー５２を順次固定する。
【００２５】
［他の実施形態］
（ａ）一対の紐部材にそれぞれ貼付自在な面ファスナを配置して、この面ファスナによって紐部材を互いに固定してもよい。
（ｂ）アコーデオンプリーツは載置部上に固定しておいてもよい。
（ｃ）アコーデオンプリーツは任意の数のひだを有するものを用いることができる。
【００２６】
【発明の効果】
本発明に係る竿体ケースによれば、複数の竿体を互いに損傷しあうことなく収納できる。
【図面の簡単な説明】
【図１】本発明の第１実施形態を採用した竿体ケースの全体図。
【図２】図１の竿体ケースの内面側を示した図。
【図３】図２のIII−III断面図。
【図４】本発明の第１実施形態を採用した竿体ケースに複数の竿体Ａ，Ｂを収納した状態を示した図。
【図５】本発明の第２実施形態を採用した竿体ケースの内面側を示した図。
【図６】図５のVI−VI断面図。
【図７】本発明の第３実施形態を採用した竿体ケースの内面側を示した図。
【符号の説明】
１，２１，４１  ケース本体
１０，３０，５０  載置部
１１，３１，５１  アコーデオンプリーツ
１１ａ  貼付部
１１ｂ  紐部材
３１ａ  スライダー
３１ｂ  紐部材
５１ａ  雄釦部
５１ｂ  紐部材
３３  レール部
５３  雌釦部
【図１】
0004201297.tif 000002
【図２】
0004201297.tif 000003
【図３】
0004201297.tif 000004
【図４】
0004201297.tif 000005
【図５】
0004201297.tif 000006
【図６】
0004201297.tif 000007
【図７】
0004201297.tif 000008